(57)【特許請求の範囲】
【請求項１】
Ｍｇ／Ａｌ系層状化合物又はハイドロタルサイト様化合物を有する複数の吸着塔と、
被処理水から対象物質を除去する対象物質除去手段と、
前記ハイドロタルサイト様化合物が前記被処理水に炭酸イオンを放出して部分的にＭｇ／Ａｌ系層状化合物となった場合に炭酸イオンを供給することにより前記ハイドロタルサイト様化合物を再生する再生処理手段と、を備え、
前記Ｍｇ／Ａｌ系層状化合物と前記ハイドロタルサイト様化合物とによる前記被処理水からの炭酸イオンの除去及び脱離の繰返しを可能とした、水処理システム。
【請求項２】
請求項１記載の水処理システムにおいて、
さらに、処理水のｐＨを計測するｐＨ計測手段を備えた、水処理システム。
【請求項３】
請求項１記載の水処理システムにおいて、
前記対象物質除去手段より前段に設置した前記Ｍｇ／Ａｌ系層状化合物を有する前記吸着塔で炭酸イオンを除去し、
前記対象物質を除去する手段より後段に設置した前記ハイドロタルサイト様化合物を有する前記吸着塔で炭酸イオンの脱離をすることによりｐＨを制御する、水処理システム。
【請求項４】
請求項２記載の水処理システムにおいて、
前記処理水のｐＨが設定値以下になった場合には、前記ハイドロタルサイト様化合物を前記再生処理手段により前記Ｍｇ／Ａｌ系層状化合物とする、水処理システム。
【請求項５】
請求項１記載の水処理システムにおいて、
前記ハイドロタルサイト様化合物は、劣化した場合には、加熱により炭酸イオンを除去する、水処理システム。
【請求項６】
請求項２記載の水処理システムにおいて、
さらに、前記被処理水の通水を制御するバルブを備え、
前記ｐＨ計測手段により検出した前記処理水のｐＨが設定値より低下した場合には、前記バルブの開閉を実施することにより、前記複数の吸着塔における通水順を逆とする、水処理システム。
【請求項７】
請求項１記載の水処理システムにおいて、
前記複数の吸着塔のうち下流側の吸着塔の後段に別の対象物質除去手段を付設した、水処理システム。
【請求項８】
請求項１記載の水処理システムにおいて、
前記吸着塔のＭｇ／Ａｌ系層状化合物に炭酸水を供給する炭酸供給手段を付設した、水処理システム。
【請求項９】
請求項１記載の水処理システムにおいて、
さらに、前記被処理水を貯留するタンクと、
炭酸イオンを前記タンクへ添加する炭酸添加手段と、
析出した炭酸塩を沈殿除去する沈殿除去手段と、を備え、
前記沈殿除去手段の上澄み液を前記吸着塔に送る構成とした、水処理システム。
【請求項１０】
請求項１記載の水処理システムにおいて、
前記対象物質は、放射性核種である、水処理システム。
【請求項１１】
Ｍｇ／Ａｌ系層状化合物を用いて脱炭酸をし、
被処理水から対象物質を除去し、
ハイドロタルサイト様化合物が前記被処理水に炭酸イオンを放出して部分的にＭｇ／Ａｌ系層状化合物となった場合に炭酸イオンを供給することにより前記ハイドロタルサイト様化合物を再生する工程を含み、
前記Ｍｇ／Ａｌ系層状化合物と前記ハイドロタルサイト様化合物とによる前記被処理水からの炭酸イオンの除去及び脱離の繰返しを可能とした、水処理方法。
【請求項１２】
請求項１１記載の水処理方法において、
炭酸イオンを前記ハイドロタルサイト様化合物から前記対象物質が除去された液に供給することによりｐＨを制御する、水処理方法。
【請求項１３】
請求項１１記載の水処理方法において、
処理水のｐＨが設定値以下になった場合には、前記ハイドロタルサイト様化合物の前記再生をする、水処理方法。
【請求項１４】
請求項１１記載の水処理方法において、
前記ハイドロタルサイト様化合物は、劣化した場合には、加熱により炭酸イオンを除去する、水処理方法。
【請求項１５】
請求項１１記載の水処理方法において、
前記被処理水に炭酸イオンを添加することにより炭酸塩を沈殿除去し、上澄み液の前記脱炭酸をする、水処理方法。
【発明の詳細な説明】
【技術分野】
【０００１】
本発明は、水処理システム及び水処理方法に関する。
【背景技術】
【０００２】
一般に、廃水などの被処理水は、炭酸イオンなどのｐＨ緩衝作用を有する物質を含有する。被処理水中に炭酸イオンが存在すると、酸剤やアルカリ剤を添加してもｐＨが緩衝されるため、対象物質を処理するために所定のｐＨに調整するための薬剤量が増加する。また、アルカリ側にｐＨを調整したとき、被処理水中に存在するＣａ２＋などの金属イオンが炭酸塩として析出しやすく、後段のフィルタの差圧上昇など設備の運転に支障をきたす。さらに、工場廃水などを処理した後に河川へ排水する場合、水質汚濁防止法などで国により定められている排水基準を順守する必要がある。そのため、最終的には、中性付近にｐＨを制御する必要がある。ここで、ｐＨは、水素イオン指数である。
【０００３】
ｐＨの調整方法はいくつかあるが、酸剤やアルカリ剤を注入して所定のｐＨに調整する方法が主に用いられている。使用される酸剤としては塩酸や硫酸、アルカリ剤としては水酸化ナトリウムなどがある。また、最終的に中性付近にｐＨを制御する場合は、炭酸ナトリウムなど使用することがある。さらに、ｐＨ緩衝剤として固体の炭酸塩鉱物などを利用する方法もある。
【０００４】
特許文献１には、農薬排水をｐＨ緩衝剤として作用する炭酸塩鉱物に接触させた後、生物担体で農薬を除去する農薬排水の処理方法が記載されている。
【０００５】
非特許文献１には、ハイドロタルサイトの水環境保全・浄化への応用に関して、炭酸イオンを取り込んだＭｇ−Ａｌ酸化物であるハイドロタルサイトを５００℃で仮焼することによりＭｇ−Ａｌ酸化物に再生する原理、ハイドロタルサイトを利用した水溶液からの金属イオンの除去等が記載されている。
【先行技術文献】
【特許文献】
【０００６】
【特許文献１】特開平６−１５２８５号公報
【非特許文献】
【０００７】
【非特許文献１】The Chemical Times 2005 No.1（通巻195号）pp.10-16
【発明の概要】
【発明が解決しようとする課題】
【０００８】
上述の特許文献１では、農薬排水のｐＨを後段の生物処理に適するｐＨに調整するために炭酸塩鉱物を使用している。炭酸塩鉱物を使用するｐＨ調整方法は、酸剤やアルカリ剤を注入する方法と異なり、ポンプ等の機械的不具合でｐＨ制御に支障が出ることがない利点と、処理水のｐＨは炭酸塩鉱物の平衡ｐＨに依存するため、薬剤の注入と異なり、局所的なｐＨの高低が生じにくく、炭酸塩の析出を防止する利点とがある。しかし、炭酸塩鉱物は、使用を続けるとｐＨの調整能力が低下するため、いずれ新しい炭酸塩鉱物へ交換する必要がある。
【０００９】
上述の非特許文献１では、Ｍｇ−Ａｌ酸化物による炭酸イオン（もしくは他の金属イオン等）の除去を主目的としており、ｐＨを調整する場合、別の手段も設ける必要がある。  本発明は、炭酸塩鉱物としてＭｇ／Ａｌ系層状化合物を使用し、炭酸塩鉱物のｐＨ調整の利点を生かしつつ、ｐＨ緩衝材として繰返し使用可能とすることを目的とする。
【課題を解決するための手段】
【００１０】
本発明の水処理システムは、Ｍｇ／Ａｌ系層状化合物又はハイドロタルサイト様化合物を有する複数の吸着塔と、被処理水から対象物質を除去する対象物質除去手段と、ハイドロタルサイト様化合物が被処理水に炭酸イオンを放出して部分的にＭｇ／Ａｌ系層状化合物となった場合に炭酸イオンを供給することによりハイドロタルサイト様化合物を再生する再生処理手段と、を備え、Ｍｇ／Ａｌ系層状化合物とハイドロタルサイト様化合物とによる被処理水からの炭酸イオンの除去及び脱離の繰返しを可能とした。
【発明の効果】
【００１１】
本発明によれば、炭酸塩鉱物であるハイドロタルサイト様化合物を脱炭酸とｐＨ制御とに繰返し使用することができるため、脱炭酸及び急激なアルカリ注入が必要なく、局所的なｐＨの高低が生じにくく、被処理水中の炭酸塩析出を抑制し、後段のフィルタが炭酸塩により目詰まりすることを防止し、フィルタの差圧上昇などを抑制することができる。
【図面の簡単な説明】
【００１２】
【図１】実施例１の水処理システムを示す概略構成図である。
【図２】Ｍｇ／Ａｌ系層状化合物の反応サイクルを示す図である。
【図３】ｐＨ制御システムの被処理水の処理工程を示すフロー図である。
【図４】再生処理後の操作を示すフロー図である。
【図５】実施例２の水処理システムを示す概略構成図である。
【図６】実施例３の水処理システムを示す概略構成図である。
【図７】実施例４の水処理システムを示す概略構成図である。
【発明を実施するための形態】
【００１３】
本発明は、廃水などを処理する水処理においてｐＨを調整する方法及びシステムに関する。
【００１４】
本発明は、炭酸塩鉱物としてＭｇ／Ａｌ系層状化合物を使用し、炭酸塩鉱物のｐＨ調整の利点を生かしつつ、繰返し使用可能としたことが特徴である。
【００１５】
本発明は、有機物に由来する陰イオンを除去する際、酸性溶液を添加してもｐＨの低下を阻害する緩衝作用を生じる炭酸イオンをあらかじめ除去し、炭酸イオンを吸着した吸着材は、処理済みの水の水素イオンで再生する技術に関するものである。
【００１６】
本発明は、脱炭酸に使用するＭｇ／Ａｌ系層状化合物が充填された吸着塔と、ｐＨ制御に使用するハイドロタルサイト様化合物が充填された吸着塔と、対象物質を除去する手段と、炭酸イオン脱離によりｐＨ制御したハイドロタルサイト様化合物をＭｇ／Ａｌ系層状化合物に変換する再生処理手段と、被処理水の通水を制御するバルブと、処理水のｐＨを計測するｐＨ計を備えた水処理システムである。
【００１７】
上記水処理システムにおけるｐＨ制御は、脱炭酸に使用するＭｇ／Ａｌ系層状化合物が充填された吸着塔と、ｐＨ制御に使用するハイドロタルサイト様化合物が充填された吸着塔との通水順を逆にすることで行うものであり、繰返し使用を可能としている。
【００１８】
以下、図面を用いて実施例を説明する。
【実施例１】
【００１９】
本実施例では、水処理システムにおけるｐＨ制御の一例を説明する。
【００２０】
図１は、ｐＨ制御を行う水処理システムの構成例を示したものである。
【００２１】
本図においては、水処理システムは、第一の吸着塔１１０（吸着塔Ａ）、第二の吸着塔１２０（吸着塔Ｂ）、対象物質除去手段２００、再生処理手段３００、バルブ４１０〜４８０、管路５００、及びｐＨ計測手段１０００を含む構成である。ｐＨ制御は、ｐＨ計測手段１０００と図示しない制御手段とを図示しないネットワークにより接続した構成により行われる。また、必要に応じて、対象物質、温度、水圧などを計測する計測器、ポンプなども設置されている。
【００２２】
第一の吸着塔１１０及び第二の吸着塔１２０には、被処理水の脱炭酸および処理水のｐＨ制御のためにＭｇ／Ａｌ系層状化合物が充填されている。Ｍｇ／Ａｌ系層状化合物は、化学式が［Ｍｇ２＋８−ｘＡｌ３＋ｘ（ＯＨ）１６］［Ａｎ−ｘ／ｎ・ｙＨ２Ｏ］（２≦ｘ≦５、０≧ｙ、Ａは、層間陰イオンであり、Ｃｌ−又はＰＯ４３−が一般的である。）となる不定比の層状構造物である。
【００２３】
第一の吸着塔１１０及び第二の吸着塔１２０のいずれか一方には、炭酸イオンを取り込んだＭｇ／Ａｌ系層状化合物であるハイドロタルサイト様化合物が充填されていることが望ましい。Ｍｇ／Ａｌ系層状化合物を充填した後、炭酸イオンを含む水溶液と接触させることにより、ハイドロタルサイト様化合物に変化させてもよい。
【００２４】
ここで、脱炭酸とは、被処理水に含まれる炭酸イオンを除去することをいう。
【００２５】
対象物質除去手段２００は、被処理水から除去したい対象物質を除去するための装置で構成されている。例えば、対象物質がＳｒ２＋やＣｓ＋などの金属イオンの場合、陽イオン交換樹脂やキレート樹脂によるイオン交換が可能なため、これらの樹脂を充填した吸着塔が設置される。陽イオン交換樹脂（例えば、三菱化学（株）製ＵＢＫ１０）やキレート樹脂（例えば、三菱化学（株）製ＣＲＢ０５）は、使用に最適のｐＨ（もしくはｐＨ範囲）が設定されていることが一般的である。そのため、樹脂を充填した吸着塔の前段には、ｐＨを調整するために必要に応じて酸剤もしくはアルカリ剤の注入手段も設置される。
【００２６】
本発明では、対象物質除去手段２００の前段で脱炭酸が行われているため、被処理水のｐＨ緩衝能力は低下しており、必要な酸剤もしくはアルカリ剤を低減し、容易にｐＨを調整することが可能となる。
【００２７】
ここで、酸剤としては、塩酸（ＨＣｌ）等が挙げられる。また、アルカリ剤としては、水酸化ナトリウム（ＮａＯＨ）等が挙げられる。
【００２８】
再生処理手段３００は、ハイドロタルサイト様化合物のうちｐＨ制御で使用され炭酸イオンを放出してＭｇ／Ａｌ系層状化合物に変化した部分に炭酸イオンを供給してハイドロタルサイト様化合物に戻すための装置である。ハイドロタルサイト様化合物が劣化した場合は、加熱することにより炭酸イオンが除去され、被処理水の脱炭酸で使用するときの処理量および使用可能時間が延長できる。加熱する手段はどのような方法でもよいが、ここでは、吸着塔よりハイドロタルサイト様化合物を取出し、システムとは直接接続されていない加熱装置で加熱することとする。一例としては、工場などの排水を処理する場合は、工場から排出される熱を利用して加熱された乾燥空気（２００〜５００℃）をつくり、ハイドロタルサイト様化合物を加熱するなどがある。本実施例では、再生処理を実施しているときは、同時に水処理ができないこととなるが、２系列にすることで、再生処理中も他系列が運転可能であり、連続で水処理できる。
【００２９】
バルブ４１０〜４８０は、第一の吸着塔１１０、第二の吸着塔１２０、対象物質除去手段２００への被処理水の通水順序を制御するために設置される。これらは図示しないネットワークにより制御手段と接続されて制御される。
【００３０】
管路５００は、被処理水を通水するために各設備に接続される。
【００３１】
ｐＨ計測手段１０００（ｐＨ計）は、処理水のｐＨを計測するために設置され、図示しないネットワークにより制御手段と接続されており、ｐＨデータを制御手段へ送信する。ハイドロタルサイト様化合物のｐＨ制御能力が低下して、処理水のｐＨが設定値以下となった場合、制御手段より警報を出力し、システムの運転を変更することを検討する。
【００３２】
図２は、Ｍｇ／Ａｌ系層状化合物の反応サイクルを示したものである。
【００３３】
本図に示す反応サイクルにおいて、中和と再生とが繰り返される。ここで、中和とは、炭酸イオンを取り込んだハイドロタルサイト様化合物が炭酸イオンの放出もしくはハイドロタルサイト様化合物自体の溶出により、水のｐＨを上昇させることである。また、再生とは、上記中和に使用されたハイドロタルサイト様化合物と、炭酸イオンを含有する水溶液と、を接触させることで、炭酸イオンを再び取り込むことである。よって、再生は、Ｍｇ／Ａｌ系層状化合物に炭酸イオンを充填することである。この点、非特許文献１に記載の「再生」とは異なっている。
【００３４】
図２に示すように、図１の第一の吸着塔１１０及び第二の吸着塔１２０に充填されているＭｇ／Ａｌ系層状化合物は、炭酸イオンなどのアニオンが存在すると、層間にアニオンを取り込むインターカレーションが起こる。これにより、ハイドロタルサイト様化合物（化学式の一例：Ｍｇ６Ａｌ２（ＯＨ）１６ＣＯ３・ｙＨ２Ｏ）を生成する。逆に、炭酸イオンを取り込んだハイドロタルサイト様化合物は、特にｐＨが７以下の水溶液と接触した場合には、炭酸イオンの放出もしくはハイドロタルサイト様化合物自体の溶出により、水のｐＨを上昇させる中和作用がある。中和に使用されたハイドロタルサイト様化合物は、再び炭酸イオンを含有する水溶液と接触すると、炭酸イオンを取り込んだ形態に再生することが可能である。
【００３５】
本実施例では、これらの現象を利用して被処理水の炭酸イオンの除去および処理水のｐＨ制御を実施する。
【００３６】
具体的には、Ｍｇ／Ａｌ系層状化合物により被処理水に含まれる炭酸イオンが水分子とともにＭｇ／Ａｌ系層状化合物に少しずつ取り込まれる。これにより、ハイドロタルサイト様化合物が生成する。このハイドロタルサイト様化合物に加熱等の再生処理を施すことにより、炭酸イオン及び水分子を脱離させ、Ｍｇ／Ａｌ系層状化合物に戻す。このように、Ｍｇ／Ａｌ系層状化合物からハイドロタルサイト様化合物を生成し、さらに、Ｍｇ／Ａｌ系層状化合物を再生する処理を繰り返す。
【００３７】
図３は、ｐＨ制御を伴う水処理システムにおける被処理水の処理工程を示すフロー図である。
【００３８】
本図に示す操作においては、運転直後のバルブの状態は、図１に示すａ−ｂ間が開となっている。以下の説明においては、図１に記載の符号に対応する構成要素についてその符号を用いて説明する場合がある。
【００３９】
図３においては、Ｓ１で、炭酸イオンが取り込まれていないＭｇ／Ａｌ系層状化合物が充填された第一の吸着塔１１０により、被処理水から炭酸イオンを除去する。Ｍｇ／Ａｌ系層状化合物は、使用を継続すると、少しずつ炭酸イオンを取り込んだハイドロタルサイト様化合物に変化する。
【００４０】
Ｓ２で、対象物質除去手段２００により対象物質を除去する。
【００４１】
Ｓ３で、第二の吸着塔１２０には、炭酸イオンが取り込まれたハイドロタルサイト様化合物が充填されており、対象物質が除去された水のｐＨを制御する。
【００４２】
Ｓ４で、ｐＨ計測手段１０００にて処理水のｐＨを計測する。処理水のｐＨが設定値以下となった場合、制御手段により警報を出力、バルブ４１０〜４８０を閉止して運転を停止し、第二の吸着塔１２０の再生処理を開始する。
【００４３】
第二の吸着塔１２０に充填されているハイドロタルサイト様化合物の再生処理（Ｍｇ／Ａｌ系層状化合物への変換）が完了したら運転を再開する。
【００４４】
図４は、再生処理後の運転フローである。図示しない制御手段によりバルブ４１０〜４８０の開閉がなされ、ａ−ｃ間が開となる。被処理水は、まず、第二の吸着塔１２０を通水する。
【００４５】
Ｓ５で、再生処理された炭酸イオンが取り込まれていないＭｇ／Ａｌ系層状化合が充填された第二の吸着塔１２０により、被処理水から炭酸イオンを除去する。これは再生処理前と第一の吸着塔１１０と第二の吸着塔１２０の通水順が逆となる。
【００４６】
Ｓ６で、Ｓ２と同様に、対象物質除去手段２００により対象物質を除去する。
【００４７】
Ｓ７で、再生処理前の水処理で炭酸イオンを取り込んだハイドロタルサイト様化合物が充填された第一の吸着塔１１０により、対象物質手段２００を通過した水のｐＨを制御する。
【００４８】
Ｓ８で、Ｓ４と同様に、ｐＨ計測手段１０００にて処理水のｐＨを計測する。処理水のｐＨが設定値以下となった場合、制御手段により警報を出力、運転を停止し、第一の吸着塔１１０の再生処理を開始する。
【００４９】
本実施例では、以上のような運転フローで炭酸塩鉱物であるＭｇ／Ａｌ系層状化合物を繰り返し使用する。これにより、脱炭酸及び急激なアルカリ注入を防止でき、被処理水中の炭酸塩析出を抑制し、後段のフィルタの差圧上昇などを抑制できる。
【実施例２】
【００５０】
実施例２は、実施例１の水処理システムにおいて、除去したい対象物質が複数あり、それぞれ処理するための最適ｐＨが異なる場合、つまり、対象物質を除去する手段（対象物質除去手段）を複数設けた場合を示したものである。
【００５１】
図５は、実施例２における水処理システムの構成例である。
【００５２】
本図においては、実施例１と比較して、複数の対象物質除去手段を有する点で異なっている。すなわち、対象物質除去手段２１０（対象物質除去手段Ａ）と対象物質除去手段２２０（対象物質除去手段Ｂ）とが設けてあり、対象物質除去手段Ｂの前段で被処理水のｐＨを制御して、通水する。実施例２は、後段の対象物質除去手段Ｂにおける最適ｐＨがハイドロタルサイト様化合物で制御したｐＨ付近のときに成り立つものであり、対象物質の除去に必要であった酸剤もしくはアルカリ剤を使用しなくても済む利点がある。
【００５３】
なお、対象物質除去手段Ａにおいては、適切な吸着材により、ホウ素イオン、ヨウ素イオン、ルテニウムイオン等を除去することも可能である。ここで、吸着材としては、ゼオライト等が望ましい。また、対象物質除去手段Ｂに用いる吸着材としては、アルカリ性で高性能なものが望ましく、シリコチタネート等が挙げられる。
【実施例３】
【００５４】
実施例３は、実施例１の水処理システムにおいて、脱炭酸で使用した吸着塔へ炭酸水を供給する炭酸供給手段を設けた場合を示したものである。
【００５５】
図６は、実施例３における水処理システムの構成例である。
【００５６】
本図においては、炭酸供給手段６００が付設されている。炭酸供給手段６００の一例としては、炭酸水（二酸化炭素水溶液）を貯蔵するタンクと、炭酸水を注入するポンプと、から構成され、管路を用いて吸着塔１１０、１２０へ接続されるものがある。
【００５７】
実施例１と比較して、Ｍｇ／Ａｌ系層状化合物への炭酸イオンの供給処理（ハイドロタルサイト様化合物への変換）を実施することで、ｐＨの制御に使用する吸着塔の処理量および使用可能時間が延長可能で、システムの稼働率を向上することができる。
【００５８】
炭酸供給手段６００による処理（炭酸供給処理）を加えると、システムの停止時間が長くなる可能性があるが、実施例１に記載したハイドロタルサイト様化合物の再生処理中、同時にＭｇ／Ａｌ系層状化合物への炭酸イオンの充填処理を実施することで、停止時間を延長することなく処理が可能である。
【実施例４】
【００５９】
実施例４は、実施例１の水処理システムにおいて、被処理水の炭酸塩沈殿処理を行う構成を有する場合を示したものである。
【００６０】
炭酸塩沈殿処理は、被処理水に炭酸を添加し、水酸化ナトリウム（ＮａＯＨ）等を添加して、被処理水のｐＨをアルカリ性にすることで、炭酸塩を析出させ、沈殿を生じさせる処理である。このとき、一般に、炭酸は、炭酸塩が十分な量発生するように過剰に添加することが望ましい。結果として、炭酸塩沈殿処理後の被処理水の炭酸イオン量は増加する。
【００６１】
図７は、実施例４の水処理システムの構成例である。
【００６２】
本図においては、被処理水は、一旦タンク７００に貯留される。タンク７００には、炭酸添加手段８００が付設され、タンク７００にて炭酸塩沈殿処理が実施される。このとき、タンク７００に撹拌機等を付設することが望ましい。これにより、炭酸水、水酸化ナトリウム等の薬剤をタンク７００に注入した際に十分に撹拌し、薬剤と被処理水との混合を促進することができる。
【００６３】
炭酸添加手段８００は、タンク７００内に炭酸イオンを注入するために使用するものである。一例としては、炭酸ナトリウム水溶液を貯蔵するタンクと、炭酸ナトリウム水溶液をタンク７００へ供給するためにポンプと、ｐＨをアルカリ性にするためのアルカリ剤を貯蔵するためのタンクと、アルカリ剤をタンク７００へ供給するための供給するためのポンプと、で構成される。
【００６４】
沈殿処理手段９００は、タンク７００の下流側に配置されている。沈殿処理手段９００は、析出した炭酸塩を被処理水中から除去するものである。上澄み液は、第一の吸着塔１１０又は第二の吸着塔１２０に送られる。一方、沈殿した炭酸塩は、図示しない排出口等から排出される。
【００６５】
実施例４は、実施例１と比較して炭酸塩として被処理水中の金属イオン濃度を低減することにより、その後の対象物質（Ｓｒ等）の除去がしやすくなる。また、被処理水中の炭酸イオン量が増すことで、層状化合物でのインターカレーション量が増えることにより、ハイドロタルサイト様化合物になり易くなる利点がある。
【００６６】
なお、上述の説明においては、バルブ及びｐＨ計測手段を用いた例を説明したが、本発明は、これに限定されるものではなく、バルブを用いずに通水経路を切り替えてもよく、ｐＨ計測手段を用いずに、例えば処理時間により制御してもよい。
【符号の説明】
【００６７】
１１０：第一の吸着塔、１２０：第二の吸着塔、２００：対象物質除去手段、２１０、２２０：対象物質除去手段、３００：再生処理手段、４１０、４２０、４３０、４４０、４５０、４６０、４７０、４８０：バルブ、５００：管路、６００：炭酸供給手段、７００：タンク、８００：炭酸添加手段、９００：沈殿処理手段、１０００：ｐＨ計測手段。
【図１】
0006612177.tif 000002
【図２】
0006612177.tif 000003
【図３】
0006612177.tif 000004
【図４】
0006612177.tif 000005
【図５】
0006612177.tif 000006
【図６】
0006612177.tif 000007
【図７】
0006612177.tif 000008